(57)【特許請求の範囲】
【請求項１】
撮影対象物に向けてＸ線を照射するＸ線照射器と、前記撮影対象物に向けて可視光を照射して前記Ｘ線照射器から照射されるＸ線の範囲を示す照明と、前記Ｘ線照射器を構成する筺体に設置されていて前記照明の点灯および消灯を切り替えるスイッチ機構とを備えるＸ線撮影装置において、
前記スイッチ機構が、前記筺体の内側と外側とを貫通する状態で前記筺体に固定されていて前記筺体の外側となる表面と前記筺体の内側となる背面とを有する絶縁板と、この絶縁板の前記背面に設置されるアンテナと、このアンテナと前記照明との間に接続されていて前記アンテナの静電容量の変化量に基づいて前記照明の点灯または消灯の少なくとも一方を制御する制御部とを備えることを特徴とするＸ線撮影装置。
【請求項２】
前記絶縁板が前記背面に形成される溝部を備えていて、
前記アンテナが前記溝部の中に配置されて固定される構成である請求項１に記載のＸ線撮影装置。
【請求項３】
前記絶縁板の前記背面から前記表面に向かう方向において、前記絶縁板の厚さが前記筺体の壁面の厚さよりも大きく形成されるとともに、前記筺体の壁面の内側面よりも前記筺体の内側となる位置に前記アンテナが配置される構成を備える請求項１または２に記載のＸ線撮影装置。
【請求項４】
前記アンテナから前記筺体までの最短距離が、前記アンテナから前記表面までの最短距離よりも大きくなる状態に設定されている請求項１〜３のいずれかに記載のＸ線撮影装置。
【発明の詳細な説明】
【技術分野】
【０００１】
本発明は、動物などの撮影対象物にＸ線を照射して撮影を行うＸ線撮影装置に関し、詳しくは適切なＸ線画像を得られるＸ線撮影装置に関するものである。
【背景技術】
【０００２】
Ｘ線撮影装置が種々提案されている（例えば特許文献１参照）。特許文献１に記載のＸ線撮影装置は、撮影対象物に向けてＸ線を照射するＸ線照射器と、撮影対象物に向けて可視光を照射してＸ線照射器から照射されるＸ線の範囲を示す照明と、Ｘ線照射器の近傍に設置されていて照明の点灯および消灯を切り替えるスイッチ機構を備えている。【０００３】
Ｘ線撮影装置の操作者は、照明を点灯させた状態でＸ線照射器の位置合わせを行い、その後スイッチ機構を操作して照明を消灯させる。照明を消灯させた後にＸ線照射器からＸ線を照射させて撮影を行っていた。照明のスイッチ機構が機械式スイッチであったため、スイッチ機構の操作にともないＸ線照射器が移動したり振動したりする不具合があった。【０００４】
Ｘ線照射器が移動すると位置合わせをした範囲とは異なる範囲のＸ線画像が得られてしまう不具合があった。またＸ線の照射中にＸ線照射器が振動しているとＸ線画像にブレが生じる不具合があった。適切なＸ線画像が得られず、Ｘ線撮影のやり直しが必要な場合があった。
【先行技術文献】
【特許文献】
【０００５】
【特許文献１】日本国特開２０１３−２１５４９５号公報
【発明の概要】
【発明が解決しようとする課題】
【０００６】
本発明は上記の問題を鑑みてなされたものであり、その目的は適切なＸ線画像を得られるＸ線撮影装置を提供することである。
【課題を解決するための手段】
【０００７】
上記の目的を達成するための本発明のＸ線撮影装置は、撮影対象物に向けてＸ線を照射するＸ線照射器と、前記撮影対象物に向けて可視光を照射して前記Ｘ線照射器から照射されるＸ線の範囲を示す照明と、前記Ｘ線照射器を構成する筺体に設置されていて前記照明の点灯および消灯を切り替えるスイッチ機構とを備えるＸ線撮影装置において、前記スイッチ機構が、絶縁体で構成されるとともに前記筺体の内側と外側とを貫通する状態で前記筺体に固定されていて前記筺体の外側となる表面と前記筺体の内側となる背面とを有する絶縁板と、この絶縁板の前記背面に設置されるアンテナと、このアンテナと前記照明との間に接続されていて前記アンテナの静電容量の変化量に基づいて前記照明の点灯または消灯の少なくとも一方を制御する制御部とを備えることを特徴とする。
【発明の効果】
【０００８】
本発明のＸ線撮影装置によれば、スイッチ機構を構成する絶縁板に手を接近させることで照明の点灯または消灯を制御できる。そのためスイッチ機構の操作にともないＸ線照射器に発生する移動やＸ線照射器の振動を抑制できる。適切なＸ線画像を得るには有利である。
【図面の簡単な説明】
【０００９】
【図１】図１は、本発明のＸ線撮影装置を例示する説明図である。
【図２】図２は、図１のＸ線照射器を拡大して例示する説明図である。
【図３】図３は、図２のＸ線照射器の底面側を例示する説明図である。
【図４】図４は、スイッチ機構の構成を例示する説明図である。
【図５】図５は、図４の絶縁板の背面を示す説明図である。
【図６】図６は、図５のＡＡ矢視を示す説明図である。
【図７】図７は、アンテナから絶縁板の表面または筺体までの最短距離を例示する説明図である。
【図８】図８は、図６の変形例を例示する説明図である。
【図９】図９は、図７の変形例を例示する説明図である。
【図１０】図１０は、図８の変形例を例示する説明図である。
【発明を実施するための形態】
【００１０】
以下、本発明のＸ線撮影装置を図に示した実施形態に基づいて説明する。図中では直方体形状に形成される絶縁板の幅方向を矢印ｘ、絶縁板の横方向を矢印ｙ、絶縁板の縦方向を矢印ｚで示している。
【００１１】
図１に例示するようにＸ線撮影装置１は、撮影対象物を載置する撮影台２と、撮影対象物に向けてＸ線を照射するＸ線照射器３とを備えている。この実施形態ではＸ線照射器３に電力を供給する電源部４と、電源部４の上方に配置されてＸ線照射器３の制御を行う本体５とを備えている。
Ｘ線照射器３は本体５の上端に連結されていて、撮影台２の上方となる位置に配置されている。
【００１２】
本体５は、Ｘ線照射器３から照射されるＸ線の強度や照射時間の制御を行う制御装置および操作パネルを備えている。電源部４は、高電圧の電気をＸ線照射器３に供給する機能を備えている。
【００１３】
撮影台２は電源部４の上に配置されている。撮影台２の上面には動物等の撮影対象物が載置される。Ｘ線撮影装置１を構成する機器はすべて互いに連結されている。つまりこの実施形態のＸ線撮影装置１は一体的に構成されている。
【００１４】
図２に例示するようにＸ線照射器３は、撮影対象に向けて照射するＸ線を発生させるＸ線管６と、Ｘ線管６から照射されるＸ線と同じ範囲に可視光を照射する照明７とを備えている。Ｘ線管６と照明７とは筺体８の内部に配置されている。Ｘ線管６は絶縁油を充填されるＸ線管ユニット６ａの内部に配置されている。図２では説明のため筺体８の内部に配置されるＸ線管６とＸ線管ユニット６ａと照明７とを破線で示している。
【００１５】
図３に例示するようにＸ線照射器３の底面には照射窓６ｂが形成されている。Ｘ線管６で発生したＸ線はこの照射窓６ｂから撮影対象物に向かって照射される。照明７からの可視光は筺体８の内部に配置されている図示しないミラーに反射して照射窓６ｂから撮影対象物に向かって照射される。ミラーは例えばプラスチックミラーなど可視光は反射するがＸ線が透過する材料で構成されている。
【００１６】
照明７はＬＥＤ照明や蛍光灯など可視光を照射する照明器具で構成されている。筺体８は例えば鉄やアルミニウムやステンレス鋼やこれらの合金などの金属で構成される。前述した金属以外の金属材料で筺体８は構成されてもよい。また例えば合成樹脂など金属材料以外の材料で筐体８は構成されてもよい。筺体８は、異なる複数の材料を組み合わせて構成されてもよい。
【００１７】
図２に例示するように筺体８の壁面には照明７の点灯および消灯を切り替えるスイッチ機構９が設置されている。スイッチ機構９は照明７に接続されていて、照明７の点灯および消灯の切り替えを行う。
【００１８】
Ｘ線撮影装置１でＸ線画像を取得する場合は、まず動物などの撮影対象物を撮影台２の上に載置する。操作者はスイッチ機構９を操作して照明７を点灯させる。照明７により照射される可視光の範囲は、Ｘ線照射器３から照射されるＸ線の範囲と一致する状態に予め設定されている。そのため操作者は照明７により照らされる範囲を確認しながら、Ｘ線照射器３を傾けたり絞りを調整したり、撮影台２を移動させたりしてＸ線が照射される範囲を調整する。
【００１９】
Ｘ線が照射される範囲が決定された後に、操作者はスイッチ機構９を操作して照明７を消灯させる。その後操作者は、Ｘ線照射器３からＸ線を照射させてＸ線画像を取得する。
【００２０】
図４および図５および図６に例示するようにスイッチ機構９は、筺体８の壁面を内側から外側に貫通する状態で筺体８に固定される絶縁板１０と、絶縁板１０に設置されるアンテナ１１と、このアンテナ１１と照明７との間に接続される制御部１２とを備えている。
【００２１】
絶縁板１０は直方体形状の絶縁体で構成されている。絶縁板１０は例えばＡＢＳ樹脂（アクリロニトリルブタジエンスチレン樹脂）などの樹脂で構成することができる。絶縁板１０を構成する樹脂は上記に限らず、ＰＥＴ樹脂（ポリエチレンテレフタレート樹脂）やＰＥ樹脂（ポリエチレン樹脂）やＰＦ樹脂（フェノール樹脂）など他の樹脂で構成してもよい。絶縁板１０を構成する材料は上記に限らず絶縁性を有する材料で構成されていればよい。例えば石英ガラスやホウケイ酸ガラスなどのガラス、セラミックスで絶縁板１０を構成してもよい。絶縁板１０の形状は例えば三角柱形状や円盤形状やその他の形状などとしてもよく直方体形状に限らない。
【００２２】
絶縁板１０は例えば縦６０ｍｍ、横１２０ｍｍ、厚さ３０ｍｍの大きさに構成することができる。絶縁板１０の大きさは前述に限らず、例えば縦５０〜７０ｍｍ、横１００〜１４０ｍｍ、厚さ１０〜５０ｍｍの範囲で設定してもよい。
【００２３】
絶縁板１０は、筺体８の外側に位置する表面１０ａと筺体８の内側に位置する背面１０ｂとを有している。筺体８を構成する壁面の外側と内側とを貫通する貫通孔１３に嵌合する状態で絶縁板１０は配置されている。絶縁板１０の表面１０ａと背面１０ｂとを結ぶ側面１０ｃが筺体８の貫通孔１３に接触する状態で固定されている。
【００２４】
図４および図６に例示するようにアンテナ１１は、絶縁板１０の背面１０ｂに配置されている。図４および図６では説明のためアンテナ１１の一部を破線で示している。図５に例示するようにアンテナ１１は、折り曲げて略四角形に形成される金属線で構成できる。この実施形態ではアンテナ１１は閉じない四角形で構成されている。アンテナ１１は例えば縦５０ｍｍ、横１００ｍｍの四角形に構成することができる。アンテナ１１の四角形の大きさは前述に限らず、例えば縦４０〜６０ｍｍ、横８０〜１２０ｍｍの範囲で設定してもよい。
【００２５】
アンテナ１１を構成する金属線の直径は例えば１．０ｍｍとすることができる。金属線の直径は前述に限らず、例えば０．１〜３．０ｍｍの範囲で設定することができる。
【００２６】
図５に例示するように平面視において、アンテナ１１で構成される四角形と絶縁板１０の背面１０ｂで構成される四角形との中心が略一致する状態で、アンテナ１１が絶縁板１０に配置されることが望ましい。またアンテナ１１で構成される四角形と絶縁板１０の背面１０ｂで構成される四角形とが平行となる状態で、アンテナ１１が絶縁板１０に配置されることが望ましい。アンテナ１１は閉じた四角形で構成してもよく、四角形の金属板で構成してもよい。
【００２７】
アンテナ１１は、絶縁板１０の背面１０ｂに接着剤等で直接的に接着される構成にすることができる。図６に例示するように背面１０ｂに略四角形の溝部１５を形成して、この溝部１５にアンテナ１１を埋設する構成にしてもよい。溝部１５にアンテナ１１を埋設することで、絶縁板１０に対してアンテナ１１をより強固に固定できる。溝部１５にアンテナ１１を配置した後に、溝部１５に合成樹脂等を充填して溝部１５を埋める構成にしてもよい。
【００２８】
図４に例示するようにアンテナ１１と制御部１２とは接続線１４で接続されている。この接続線１４はシールド線で構成することが望ましい。制御部１２は、アンテナ１１から延びる接続線１４に接続される検出回路１６と、この検出回路１６と照明７との間に接続される出力回路１７とを備えている。
【００２９】
アンテナ１１と制御部１２とを一本の接続線１４で接続する構成にしてもよい。このとき四角形を構成するアンテナ１１は一端が接続線１４に接続される又は近接される状態であり、他端が例えば溝部１５の中で切断される構成にできる。アンテナ１１および接続線１４を構成する線の長さを短くできるのでＸ線撮影装置１の製造コストを抑制するには有利である。また接続線１４を短くすることでノイズの影響を抑制できる。
【００３０】
検出回路１６は集積回路などの電子回路で構成されていて、アンテナ１１における静電容量の変化量を検出する。検出回路１６は、例えば電圧を計測してこの電圧の変化量が所定のしきい値を超えたときに出力回路１７に信号を送る構成を有している。周波数を計測してこの周波数の変化量が所定のしきい値を超えたときに信号を出力回路１７に送る構成を、検出回路１６が備えていてもよい。
【００３１】
出力回路１７は、検出回路１６からの信号に基づき照明７に信号を送る。出力回路１７はこの信号により、照明７の消灯と点灯とを切り替えることができる。
【００３２】
スイッチ機構９の絶縁板１０に操作者が手を接近させると、アンテナ１１の静電容量が増加する。アンテナ１１の静電容量が所定のしきい値を超えたとき、制御部１２から照明７に信号が送られて、照明７の消灯と点灯とが切り替えられる。操作者の手が絶縁板１０に接触せずに接近する状態または接触する状態となったときに、制御部１２が照明７に信号を送る構成とすることができる。
【００３３】
操作者はＸ線照射器３に力を加えることなく照明７の消灯と点灯とを切り替えることができる。操作者のスチッチ機構９の操作にともないＸ線照射器３が移動してしまいＸ線が照射される範囲が変わってしまう不具合を抑制できる。またスイッチ機構９の操作にともない、Ｘ線照射器３が振動する不具合を抑制できる。適切なＸ線画像を得るには有利である。
【００３４】
Ｘ線撮影装置１は、比較的小さい力で本体５に対してＸ線照射器３を傾動可能な構造とすることができる。操作者は例えば一方の手で撮影対象物である動物を抑えつつ、他方の手で比較的小さな力を加えてＸ線照射器３の位置合わせを行うことができる。Ｘ線撮影装置１において撮影範囲の微調整を行い易くなる。位置合わせをする際にＸ線照射器３に加える力よりも小さな力でスイッチ機構９を操作できるので、すでに位置合わせが完了したＸ線照射器３が意図せず移動してしまう不具合を回避できる。
【００３５】
操作者の手の接近および離間により、アンテナ１１の静電容量が増加して所定のしきい値を超えた後に静電容量が減少した場合に、制御部１２が照明７の点灯と消灯とを切り替える構成にしてもよい。
【００３６】
制御部１２がタイマー回路を備える構成にしてもよい。操作者の手を絶縁板１０に接近させた際に照明７が点灯して、例えば３０秒など予め設定される時間が経過した後に照明７が自動的に消灯する構成にしてもよい。照明７を消灯させる際に、Ｘ線照射器３が移動したり振動したりする不具合を確実に防止するには有利である。
【００３７】
制御部１２は、アンテナ１１の静電容量の変化量に基づいて照明７の点灯や消灯の少なくとも一方を制御できる構成を備えていればよい。
【００３８】
図５に例示するように絶縁板１０の背面１０ｂの面積に対してアンテナ１１で囲まれる領域の面積は小さい。この実施形態ではアンテナ１１で囲まれる四角形の領域の面積は、絶縁板１０の背面１０ｂの面積の７０％程度に設定されている。スイッチ機構９の感度を向上させつつ、金属製の筺体８に由来するノイズの影響を抑制するには有利である。
【００３９】
図７に例示するようにアンテナ１１から筺体８までの最短距離Ｌ１は、アンテナ１１から絶縁板１０の表面１０ａまでの最短距離Ｌ２よりも大きくなる状態に設定されることが望ましい。筺体８に由来するノイズの影響を抑制するには有利である。この構成によれば筐体８を金属材料で構成した場合であっても、筐体８からのノイズの影響を抑制しつつ、アンテナ１１への操作者の手の接近を精度良く検出できる。
【００４０】
本明細書において最短距離Ｌ１とはアンテナ１１の全体において、筐体８と最も近くなる位置における最短距離をいう。また最短距離Ｌ２とはアンテナ１１の全体において、表面１０ａと最も近くなる位置における最短距離をいう。アンテナ１１の形状にもよるが、幅方向ｘと縦方向ｚで構成される平面において、アンテナ１１と筐体８またはアンテナ１１と表面１０ａとを結ぶ直線が最短距離となることが多い。
【００４１】
絶縁板１０の背面１０ｂに溝部１５が形成されず、背面１０ｂにそのままアンテナ１１が固定される構成にしてもよい。しかし溝部１５にアンテナ１１が固定される構成の方が、アンテナ１１から筺体８までの最短距離Ｌ１をそれほど減少させることなくアンテナ１１から表面１０ａまでの最短距離Ｌ２を減少させることができる。最短距離Ｌ１に比べて最短距離Ｌ２がより小さくなるので、筺体８に由来するノイズを抑制しつつ、スイッチ機構９の感度を向上するには有利である。
【００４２】
図７に例示するように幅方向ｘにおいて、筺体８の壁面の厚さｄ１より絶縁板１０の厚さｄ２の方が大きく設定されることが望ましい。また幅方向ｘにおいて、筺体８の壁面の内側面８ｂよりも筺体８の内側（図７左方）となる位置にアンテナ１１の全体を配置することが望ましい。アンテナ１１から筐体８までの最短距離Ｌ１に対して表面１０ａまでの最短距離Ｌ２をより小さくするには有利である。
【００４３】
筐体８の壁面の外側面８ａと絶縁板１０の表面１０ａとは面一に構成してもよい。アンテナ１１から表面１０ａまでの最短距離Ｌ２をより小さくするには有利である。なお絶縁板１０の表面１０ａが筐体８の壁面の外側面８ａより外側（図７右方）に突出していてもよい。
【００４４】
図８に例示するように絶縁板１０の表面１０ａにくぼみ部１８が形成される構成としてもよい。くぼみ部１８は、背面１０ｂに向かって凸となる状態に絶縁板１０の表面１０ａをくり抜いて形成できる。この構成によればアンテナ１１から表面１０ａまでの最短距離Ｌ２をさらに小さくできる。スイッチ機構９の感度を向上するには有利である。
【００４５】
幅方向ｘにおいて、絶縁板１０の表面１０ａから離間した位置に形成される仮想面１９を備えていて、仮想面１９に操作者の手が接触したときにスイッチ機構９が照明７を切り替える構成にしてもよい。操作者はスイッチ機構９の絶縁板１０に触れることなく照明７を切り替えることができる。操作者は非接触で照明７の点灯および消灯を切り替えることができるので、スイッチ機構９の操作にともないＸ線照射器３が移動したり振動したりする不具合を確実に防止できる。図８では説明のため仮想面１９を一点鎖線で示している。仮想面１９を備える構成は図６に例示する実施形態など他の実施形態でも適用可能である。
【００４６】
検出回路１６の感度を調整することで、仮想面１９の位置を表面１０ａに接近させたり表面１０ａから離間させたりすることができる。
【００４７】
絶縁板１０を構成する材料を比誘電率の異なる材料に変更することで、スイッチ機構９の感度を変更することができる。
【００４８】
図９に例示するようにアンテナ１１と筐体８との間の静電容量は、アンテナ１１から筐体８までの最短距離Ｌ１に反比例して、アンテナ１１と筐体８との間に配置されている物質の比誘電率に比例する。静電容量が大きいほどノイズが大きくなる。
【００４９】
同様にアンテナ１１と操作者（仮想面１９）との間の静電容量は、アンテナ１１から絶縁板１０の表面１０ａまでの最短距離Ｌ２と、表面１０ａと仮想面１９までの最短距離Ｌ３とに反比例する。アンテナ１１と表面１０ａとの間の物質の比誘電率と、表面１０ａと仮想面１９との間の物質の比誘電率とに比例する。静電容量が大きいほど感度が高くなる。
【００５０】
図９および図１０に例示するように絶縁板１０を異なる二種以上の材料で構成してもよい。たとえば絶縁板１０の周縁部１０ｄと中心部１０ｅとで異なる材料で構成することができる。
【００５１】
周縁部１０ｄは、例えば樹脂やガラスで構成できる。これらの比誘電率は２．０〜６．０程度である。また周縁部１０ｄを中空構造や多孔構造として空気を含む状態として比誘電率を更に小さくしてもよい。中心部１０ｅは例えば金属酸化物で構成できる。中心部１０ｅは例えばアルミナやジルコニアやチタニアで構成できる。これらの比誘電率は１０．０〜１９０．０程度である。
【００５２】
中心部１０ｅに対して周縁部１０ｄの比誘電率が小さくなる状態に材料を選択して絶縁板１０を構成することが望ましい。アンテナ１１と筐体８との間の静電容量を小さくすることでノイズを抑制しつつ、アンテナ１１と仮想面１９との間の静電容量を大きくすることで感度を向上できる。周縁部１０ｄおよび中央部１０ｅを構成する材料は上記に限らず、適宜選択することができる。
【００５３】
周縁部１０ｄおよび中心部１０ｅに異なる材料を配置する構成に加えて、距離Ｌ１〜Ｌ３を適宜設定することで、静電容量を調整する構成にしてもよい。
【００５４】
図１０に例示する実施形態では絶縁板１０の周縁部１０ｄと中心部１０ｅとで材料を異ならせる構成としたが、これに限定されない。アンテナ１１と筐体８との間に比誘電率の比較的小さい材料が配置されて、アンテナ１１と表面１０ａとの間に比誘電率の比較的大きい材料が配置される構成であればよい。比誘電率の比較的小さい例えば板状の材料をアンテナ１１と筐体８との間に配置してもよい。三種以上の材料で絶縁板１０を構成してもよい。
【００５５】
本発明のＸ線撮影装置１は、図１に例示する一体的に構成されるものに限定されない。撮影台２が別体として構成されるものや、Ｘ線照射器３が天井等から吊り下げられるＸ線撮影装置１であってもよい。
【符号の説明】
【００５６】
１          Ｘ線撮影装置
２          撮影台
３          Ｘ線照射器
４          電源部
５          本体
６          Ｘ線管
６ａ      Ｘ線管ユニット
６ｂ      照射窓
７          照明
８          筺体
８ａ      外側面
８ｂ      内側面
９          スイッチ機構
１０      絶縁板
１０ａ  表面
１０ｂ  背面
１０ｃ  側面
１０ｄ  周縁部
１０ｅ  中心部
１１      アンテナ
１２      制御部
１３      貫通孔
１４      接続線
１５      溝部
１６      検出回路
１７      出力回路
１８      くぼみ部
１９      仮想面
ｘ          幅方向
ｙ          横方向
ｚ          縦方向
Ｌ１      アンテナから筺体までの最短距離
Ｌ２      アンテナから表面までの最短距離
Ｌ３      表面から仮想面までの最短距離
ｄ１      筺体の壁面の厚さ
ｄ２      絶縁板の厚さ
【要約】
適切なＸ線画像を得られるＸ線撮影装置を提供する。撮影対象物に向けてＸ線を照射するＸ線照射器３と、撮影対象物に向けて可視光を照射してＸ線照射器３から照射されるＸ線の範囲を示す照明７と、Ｘ線照射器３を構成する筺体８に設置されていて照明７の点灯および消灯を切り替えるスイッチ機構９とを備えるＸ線撮影装置１において、筺体８の内側と外側とを貫通する状態で絶縁板１０を固定して、この絶縁板１０の面であって筺体８の内側となる背面１０ｂにアンテナ１１を設置して、このアンテナ１１の静電容量の変化量に基づき照明７の点灯または消灯の少なくとも一方を制御する制御部１２をアンテナ１１と照明７との間に接続する。【図１】
0006651093.tif 000002
【図２】
0006651093.tif 000003
【図３】
0006651093.tif 000004
【図４】
0006651093.tif 000005
【図５】
0006651093.tif 000006
【図６】
0006651093.tif 000007
【図７】
0006651093.tif 000008
【図８】
0006651093.tif 000009
【図９】
0006651093.tif 000010
【図１０】
0006651093.tif 000011